(57)【特許請求の範囲】
【請求項１】
発光素子と、
前記発光素子が頂部に実装される金属肉厚部が設けられる第１金属層および絶縁層を介して、前記発光素子が実装される導電性材料で構成される基板と、
前記金属肉厚部の頂部に設けた前記発光素子が、その高さの略中央およびその開口中央位置に配置されるように貫通孔が形成され、かつ、前記基板および前記絶縁層上に設けられる樹脂基材層と、を備え、
前記発光素子の電極部と電気的に接続される第１パターン金属部が前記樹脂基材層の上面側に形成され、前記樹脂基材層に形成された層間接続部によって当該第１パターン金属部と電気的に接続される第２パターン金属部が当該樹脂基材層の下面側に形成され、当該第２パターン金属部が、同じ金属層からパターン形成して構成された前記第１金属層および第２金属層のうち、当該第１金属層と電気的に分離されるように前記基板上側に設けられた第２金属層と電気的に接続されるように構成された発光装置。
【請求項２】
前記基板が黒鉛およびアルミニウム合金の複合材料で構成された請求項１に記載の発光装置。
【請求項３】
前記基板が黒鉛、セラミックスおよびアルミニウム合金の複合材料で構成された請求項１に記載の発光装置。
【請求項４】
前記貫通孔の表面に、光を反射する反射層が形成された請求項１から３のいずれか１項に記載の発光装置。
【請求項５】
前記樹脂基材層上に形成され、前記光を反射する反射部を設け、
前記貫通孔の内部を蛍光体を含む樹脂で封止し、反射部を壁として透明樹脂で封止する請求項１から４のいずれか１項に記載の発光装置。
【請求項６】
前記絶縁層の熱伝導率が、１．０Ｗ／ｍＫ以上である請求項１から５のいずれか１項に記載の発光装置。
【請求項７】
前記基板の熱伝導率が、２００Ｗ／ｍＫ以上である請求項１から６のいずれか１項に記載の発光装置。
【発明の詳細な説明】
【技術分野】
【０００１】
本発明は、ＬＥＤチップ等の発光素子を基板に実装した発光装置に関する。
【背景技術】
【０００２】
近年、軽量・薄型化および省電力化が可能な照明・発光手段として、発光ダイオードが注目されている。発光ダイオードの実装形態としては、発光ダイオードのベアチップ（ＬＥＤチップ）を配線基板に直接実装する方法と、ＬＥＤチップを配線基板に実装し易いようにＬＥＤチップを小型基板にボンディングしてパッケージ化し、このＬＥＤパッケージを配線基板に実装する方法とが知られている。
【０００３】
従来のＬＥＤパッケージは、ＬＥＤチップを小型基板にダイボンドし、ＬＥＤチップの電極部分とリードの電極部分との間をワイヤボンド等で接続し、透光性を有する封止樹脂で封止した構造であった。
【０００４】
一方、ＬＥＤチップは、照明器具としての通常の使用温度領域において、低温になるほど発光効率が高く、高温になるほど発光効率が低下する性質を有する。このため、発光ダイオードを用いる光源装置では、ＬＥＤチップで発生した熱を速やかに外部に放熱し、ＬＥＤチップの温度を低下させることが、ＬＥＤチップの発光効率を向上させる上で非常に重要な課題となる。また、放熱特性を高めることによって、ＬＥＤチップに大きな電流を通電して使用することができ、ＬＥＤチップの光出力を増大させることができる。
【０００５】
特許文献１は、実装基板への実装面積を小さくすることができ且つ外部への光取り出し効率を向上可能な発光ダイオード用パッケージおよびそれを用いた発光装置について開示している。すなわち、パッケージは、半導体基板たるシリコン基板の厚み方向の一面側に発光ダイオードチップを収納する収納凹所が形成されるとともに、他面側に外部接続用電極が形成され、収納凹所の内底面に発光ダイオードチップを金バンプを介して接続するチップ接続用電極が形成され、チップ接続用電極と外部接続用電極とを接続する配線がシリコン基板における収納凹所の内底面と上記他面との間の部分からなる実装部に貫設されている。収納凹所の内周面には反射膜が形成されている。
【０００６】
【特許文献１】特開２００５−１９６０９号公報
【発明の開示】
【発明が解決しようとする課題】
【０００７】
しかしながら、特許文献１に開示された発光ダイオード用パッケージは、シリコン基板に発光ダイオードチップを収納する凹所が形成されているため、その形成加工の問題がある。また、発光ダイオードチップの放熱構造として、当該チップに直接接する放熱用金属部が、実装部に貫設された熱結合部を介して放熱用電極に接続されている構造であり、複雑な構造であり、加工コスト、放熱性能が低い等の問題がある。また、発光ダイオードチップの電極部が収納凹所の内底面側に接するように構成されているため、光の取り出し効率の観点から問題がある。
【０００８】
そこで、上記問題に鑑みて本発明はなされたものであり、本発明の目的は、簡単な構造で十分な放熱効果が得られるとともに、光の取り出し効率も高く、装置全体の小型化や製造コストを低く抑えることができる発光装置を提供することにある。
【課題を解決するための手段】
【０００９】
本発明の発光装置は、発光素子と、前記発光素子が金属肉厚部を有する第１金属層を少なくとも介して実装される基板と、前記金属肉厚部の頂部に設けた前記発光素子がその内部に配置される貫通孔が形成され、かつ、前記基板上に設けられる樹脂基材層と、を備え、前記発光素子の電極部と電気的に接続される第１パターン金属部が前記樹脂基材層の上面側に形成され、当該第１パターン金属部が当該樹脂基材層の下面側に形成された第２パターン金属部と電気的に接続され、当該第２パターン金属部が前記基板上側に設けられた第２金属層と電気的に接続されるように構成されていることを特徴とする。
【００１０】
この構成によれば、発光素子が少なくとも金属層を介して基板に設置されているため、発光素子による熱を金属層を介して基板に好適に伝熱することができ、放熱性が高いものとなる。また、樹脂基材層に形成された貫通孔の内部に位置する金属肉厚部の頂部に発光素子が設けられている構成であるため、発光素子からの光を貫通孔の開口方向に向かって好適に導くことができ、光の取り出し効率が高いものとなる。さらに、貫通孔内部における発光素子の高さ、位置調整を金属肉厚部で行えるため、光の照射角度の任意の調整、反射効率の向上、輝度の向上の効果がある。また、発光素子の外径サイズに応じて貫通孔の開口直径を小さく設定できるため、装置全体の小型化が簡単に行なえる。また、発光装置の基本構造要素が、発光素子、樹脂基材層、基板であり、夫々の構成が簡単であるため加工コストを低く抑えることができる。
【００１１】
また、上記発光装置において、前記基板が黒鉛およびアルミニウム合金の複合材料で構成されていることを特徴とする。
【００１２】
この構成によれば、基板が黒鉛およびアルミニウム合金の複合材料で構成されているため、伝熱効果が高く、よって、発光素子の熱を好適に放熱することができる。
【００１３】
また、上記発光装置において、前記基板が黒鉛、セラミックスおよびアルミニウム合金の複合材料で構成されていることを特徴とする。
【００１４】
この構成によれば、基板が黒鉛、セラミックスおよびアルミニウム合金の複合材料で構成されているため、伝熱効率が高く、よって、発光素子の熱を好適に放熱することができる。さらに、黒鉛、セラミックスおよびアルミニウム合金の複合材料は、黒鉛およびアルミニウム合金の複合材料で構成されているものよりも、強度等の機械的特性に優れるため、機械的特性が要求される車載用途等の発光装置に好適である。
【００１５】
また、上記発光装置において、貫通孔の表面に、光を反射する反射層が形成されていることを特徴とする。
【００１６】
この構成によれば、貫通孔の内部表面に形成された反射層によって、より好適に発光素子からの光を貫通孔の開口方向に向かって導くことができるとともに反射効率の向上となるので好ましい。
【００１７】
また、上記発光装置において、樹脂基材層上に形成され、光を反射する反射部を設け、貫通孔の内部を蛍光体を含む樹脂で封止し、反射部を壁として透明樹脂で封止することを特徴とする。
【００１８】
この構成によれば、発光素子からの光を蛍光体に当て、この蛍光体の作用によって発光波長を所望の色の光に変換し、透明樹脂で形成されたレンズ体によって、光を外部に好適に放射することができる。
【発明を実施するための最良の形態】
【００１９】
以下、本発明の実施の形態について、図面を参照しながら説明する。図１は、本発明の発光装置の一例を示す断面図である。図２、３は、それぞれ他例の発光装置である。
【００２０】
図１に示すように、発光装置１は、発光素子１１と、この発光素子１１が金属肉厚部１２１を有する金属層１２および絶縁層１３を介して実装される基板１４と、発光素子１１から発する光を所定方向に導くように貫通孔１５ａが形成され、かつ、基板１４上に設けられる樹脂基材層１５と、樹脂基材層１５上に形成され、発光素子１１からの光を反射する反射部１６とを備えている。発光素子１１は、金属肉厚部１２１の頂部に設けられ、貫通孔１５ａの内部に配置される。
【００２１】
発光素子１１は、光を発する素子であり、例えば、ＬＥＤチップ、半導体レーザチップ等が挙げられる。ＬＥＤチップでは、上面に両電極が存在するフェイスアップ型の他、裏面の電極により、カソードタイプ、アノードタイプ、フェイスダウン型（フリップチップタイプ）などがある。本発明では、フェイスアップ型を用いることが、放熱性の点から優れている。
【００２２】
基板１４は、発光素子１１を実装するための基板であり、熱伝導性の良い材料で構成されている。熱伝導性の良い材料としては、金属、セラミックス、熱伝導性フィラーを含む樹脂等が例示されるが、本発明においては、黒鉛およびアルミニウム合金の複合材料、黒鉛、セラミックスおよびアルミニウム合金の複合材料で基板１４を構成することが好ましい。特に、黒鉛およびアルミニウム合金の複合材料よりも黒鉛、セラミックスおよびアルミニウム合金の複合材料で構成することが強度等の機械的特性の観点から好ましい。
【００２３】
黒鉛−アルミニウム合金複合体（複合材料）及び黒鉛−セラミックス−アルミニウム合金複合体（複合材料）は、黒鉛成形体または黒鉛−セラミックス成形体にアルミニウムを主成分とするアルミニウム合金を溶湯鍛造法にて、２０ＭＰａ以上の圧力で加圧含浸することで製造することができる。黒鉛成形体は、市販の人造黒鉛成形体を用いることもできるし、人造黒鉛粉末を成形して用いることもできる。また、黒鉛−セラミックス成形体は、黒鉛粉末と炭化珪素等のセラミックス粉末を所定の割合で混合した後、成形して用いることができる。本発明に用いる成形体の気孔率は、１０〜３５体積％が好ましく、１５〜２５体積％がより好ましい。
【００２４】
黒鉛−アルミニウム合金複合体及び黒鉛−セラミックス−アルミニウム合金複合体のアルミニウム合金は、含浸時にプリフォームの空隙内に十分にアルミニウム合金を浸透させるため、アルミニウム合金の融点がなるべく低いことが好ましく、シリコンを５〜２５質量％含有したアルミニウム合金を用いる場合もある。アルミニウム合金中のシリコン以外の金属成分に関しては、極端に特性が変化しない範囲であれば特に制限はなく、例えばマグネシウム、銅等が含まれていても良い。
【００２５】
黒鉛−アルミニウム合金複合体及び黒鉛−セラミックス−アルミニウム合金複合体は、上述した方法によりブロック形状の複合体を作製し、切断加工して板状複合体とすることもできるし、板状の成形体を作製した後、アルミニウム合金を加圧含浸して板状複合体を作製することもできる。また、黒鉛−アルミニウム合金複合体及び黒鉛−セラミックス−アルミニウム合金複合体は、加工性に優れ、通常の機械加工にて容易に加工することが出来る。この場合、黒鉛、セラミックスおよびアルミニウム合金の複合材料におけるセラミックス粒子は、加工性の点からメディアン径が１００μｍ以下で添加量が１０〜３０体積％であることが好ましい。さらに、黒鉛およびアルミニウム合金の複合材料及び黒鉛、セラミックスおよびアルミニウム合金の複合材料を基板として用いる場合、素材のまま用いる場合と表面をメッキ処理して用いる場合がある。
【００２６】
黒鉛−アルミニウム合金複合体及び黒鉛−セラミックス−アルミニウム合金複合体の特性としては、熱伝導率が２００Ｗ／ｍＫ以上であることが好ましい。本発明では、当該複合材を放熱部品として使用する為、熱伝導率が２００Ｗ／ｍＫ未満では、十分な放熱特性を発揮できないためである。
【００２７】
基板１４は、放熱性の観点から導電性材料で構成される場合には、図１に示すように、基板１４に絶縁層１３が設けられる。この絶縁層１３は、熱伝導性の高い材料で構成され、例えば、熱伝導性フィラーを含む樹脂等が例示される。絶縁層１３を基板１４に形成する方法は、公知の印刷方法、塗工方法、接着方法が適用できる。
【００２８】
絶縁層１３は、１．０Ｗ／ｍＫ以上の熱伝導率を有し、１．２Ｗ／ｍＫ以上の熱伝導率を有することが好ましく、１．５Ｗ／ｍＫ以上の熱伝導率を有することがより好ましい。これによって、金属層１２からの熱を効率良く基板１４側に放熱することができる。ここで、絶縁層１３の熱伝導率は、適宜、熱伝導性フィラーの配合量および粒度分布を考慮した配合を選択することで決定されるが、硬化前の絶縁性接着剤の塗工性を考慮すると、一般的には１０Ｗ／ｍＫ程度が上限として好ましい。
【００２９】
絶縁層１３は金属酸化物及び／又は金属窒化物である熱伝導性フィラーと樹脂とで構成されることが好ましい。金属酸化物並びに金属窒化物は、熱伝導性に優れ、しかも電気絶縁性のものが好ましい。金属酸化物としては酸化アルミニウム、酸化珪素、酸化ベリリウム、酸化マグネシウムが、金属窒化物としては窒化硼素、窒化珪素、窒化アルミニウムが選択され、これらを単独または２種以上を混合して用いることができる。特に、前記金属酸化物のうち、酸化アルミニウムは電気絶縁性、熱伝導性ともに良好な絶縁接着剤層を容易に得ることができ、しかも安価に入手可能であるという理由で、また、前記金属窒化物のうち窒化硼素は電気絶縁性、熱伝導性に優れ、更に誘電率が小さいという理由で好ましい。
【００３０】
熱伝導性フィラーとしては、小径フィラーと大径フィラーとを含むものが好ましい。このように２種以上の大きさの異なる粒子（粒度分布の異なる粒子）を用いることで、大径フィラー自体による伝熱機能と、小径フィラーにより大径フィラー間の樹脂の伝熱性を高める機能により、絶縁層１３の熱伝導率をより向上させることができる。このような観点から、小径フィラーのメディアン径は、０．５〜２μｍが好ましく０．５〜１μｍがより好ましい。また、大径フィラーのメディアン径は、１０〜４０μｍが好ましく１５〜２０μｍがより好ましい。
【００３１】
絶縁層１３を構成する樹脂としては、金属酸化物及び／又は金属窒化物を含みながらも、硬化状態下において、金属層１２との接合力に優れ、また耐電圧特性等を損なわないものが選択される。このような樹脂として、エポキシ樹脂、フェノール樹脂、ポリイミド樹脂の他、各種のエンジニアリングプラスチックが単独または２種以上を混合して用いることができるが、このうちエポキシ樹脂が金属同士の接合力に優れるので好ましい。特に、エポキシ樹脂のなかでは、流動性が高く、前記の金属酸化物及び金属窒化物との混合性に優れるビスフェノールＡ型エポキシ樹脂、ビスフェノールＦ型エポキシ樹脂、水添ビスフェノールＡ型エポキシ樹脂、水添ビスフェノールＦ型エポキシ樹脂、ビスフェノールＡ型エポキシ樹脂構造を両末端に有するトリブロックポリマー、ビスフェノールＦ型エポキシ樹脂構造を両末端に有するトリブロックポリマーが一層好ましい樹脂である。
【００３２】
また、図１に示すように、基板１４の発光素子１１の実装位置に、放熱性の観点から伝熱効率の高い金属層１２が絶縁層１３の上面に設けられている。金属層１２には、発光素子１１が実装される金属肉厚部１２１が設けられる実装部分１２ａ（第1金属層に相当する）と、この実装部分１２ａと電気的に分離され、後述する第２パターン金属部１５３と電気的に接続される電極部分１２ｂ（第２金属層に相当する）とを有してパターン形成されている。なお、この配線パターンは、図１に限定されず、目的に応じて変更できるものである。
【００３３】
金属層１２は、種々の金属で構成されうるが、通常、銅、アルミニウム、ニッケル、鉄、錫、銀、チタニウムのいずれか、または、これらの金属を含む合金等が使用でき、特に熱伝導性や電気伝導性の点から、銅が好ましい。
【００３４】
金属層１２を絶縁層１３に形成する方法は、公知の方法が適用でき、金属箔の接着、印刷、エッチング等を用いることができる。また、金属層１２と絶縁層１３を基板１４に形成した後に、金属層１２のパターン形成を行なうことができる。また、金属層１２は、絶縁接着剤のＢステージ状態にある絶縁層１３において予め形成し、その後に基板１４と熱プレスして、基板１４、絶縁層１３、金属層１２を一体に構成することもできる。
【００３５】
金属層１２に設けられる金属肉厚部１２１は、金属層１２と同様の材料で形成することが電気伝導性、熱伝導性（放熱性）の観点から好ましい。金属肉厚部１２１を形成する方法は、特に制限されず公知の形成方法が採用でき、例えば、金属バンプ形成法等が挙げられる。金属肉厚部１２１は、貫通孔１５ａの内部に配置されるが、その位置は適宜設計できる。放熱性および光取り出し効率の観点から貫通孔１５ａ高さの略中央および開口中央位置に発光素子１１が配置されるように金属肉厚部１２１の高さおよび位置を設定することが好ましい。
【００３６】
樹脂基材層１５は、絶縁性の樹脂部１５１を基材とし、その上面側（反射部１６が設置される面）に発光素子１１の電極部と電気的に接続される第１パターン金属部１５２が形成され、当該樹脂部１５１の下面側（基板１４側）に第２パターン金属部１５３が形成されている。この第１パターン金属部１５２は、樹脂部１５１を貫設された層間接続部（不図示）を介して第２パターン金属部１５３と電気的に接続されている。層間接続部としては、メッキスルーホール、レーザビア、金属バンプ等が挙げられ、その場合の導電接続構造の形成方法の詳細は、国際公開公報ＷＯ００／５２９７７号に記載されており、これらをいずれも適用することができる。
【００３７】
樹脂部１５１を構成する樹脂としては、金属酸化物及び／又は金属窒化物を含みながらも、硬化状態下において、第１、第２パターン金属部１５２、１５３との接合力に優れ、また耐電圧特性等を損なわないものが選択される。このような樹脂として、エポキシ樹脂、フェノール樹脂、ポリイミド樹脂の他、各種のエンジニアリングプラスチックが単独または２種以上を混合して用いることができるが、このうちエポキシ樹脂が金属同士の接合力に優れるので好ましい。特に、エポキシ樹脂のなかでは、流動性が高く、前記の金属酸化物及び金属窒化物との混合性に優れるビスフェノールＡ型エポキシ樹脂、ビスフェノールＦ型エポキシ樹脂、ビスフェノールＡ型エポキシ樹脂を主体とした樹脂、水添ビスフェノールＡ型エポキシ樹脂、水添ビスフェノールＦ型エポキシ樹脂が一層好ましい樹脂である。
【００３８】
第１、第２パターン金属部１５２、１５３は、種々の金属で構成されうるが、通常、銅、アルミニウム、ニッケル、鉄、錫、銀、チタニウムのいずれか、または、これらの金属を含む合金等が使用でき、特に熱伝導性や電気伝導性の点から、銅が好ましい。
【００３９】
樹脂部１５１に、第１、第２パターン金属部１５２、１５３を形成する方法としては、公知の方法が適用でき、例えば、印刷、フォトリソグラフィ法によるエッチング等の方法が例示される。
【００４０】
また、第２パターン金属部１５３を、図２に示すように、厚板の銅で構成されたリードフレーム１５３１で形成することができる。この場合、樹脂部１５１とリードフレーム１５３１との接着により生じる平坦性の問題を解決するために、埋め込み用途の樹脂材２１を設けることが、基材１４との接合性の観点から好ましい。
【００４１】
この樹脂基材層１５には、発光素子１１から発する光を所定方向に導くように貫通孔１５ａが形成されている。この貫通孔１５ａは、公知の方法で形成でき、例えば、レーザー、ドリル、パンチングプレス等が例示できる。
【００４２】
この貫通孔１５ａの表面には、光を反射する反射層１５４が形成されている。反射層１５４は、反射効率の高い銀、金、ニッケルなどの貴金属材料で構成されることが好ましく、メッキによって形成されるのが好ましい。図１に示すように、第１パターン金属部１５２の上面にも反射層１５４、１５４ａが形成されているが、これに限定されず、なくともよい。
【００４３】
また、貫通孔１５ａの内部を蛍光体を含む樹脂１８で封止し、反射部１６を壁として透明樹脂１９で封止することで、発光素子１１からの光を蛍光体に当て、この蛍光体の作用によって発光波長を所望の色の光に変換し、透明樹脂１９で形成されたレンズ体によって、光を外部に好適に放射することができる。また、貫通孔１５ａの内部を透明樹脂１９で封止することもできる。
【００４４】
金属層１２および第１、第２パターン金属部１５２、１５３の厚みは、例えば２５〜７０μｍ程度が例示できるが、目的に応じて適宜設定される。
【００４５】
以下において、発光装置１の好適な製造方法の一例について説明する。先ず、（１）基板１４を準備する。基板１４に絶縁層１３および金属箔を設け、金属箔をパターン形成した金属層１２を形成する。さらに、金属層１２に金属肉厚部１２１を形成する。
【００４６】
（２）樹脂基材層１５を準備する。樹脂部１５１の両面に金属箔を形成し、次いで、貫通孔１５ａを形成する。次いで、全体にメッキを施して貫通孔１５ａ内部表面、金属箔表面に反射層１５４を形成する。次いで、反射層１５４および金属箔をエッチングして、第１、第２パターン金属部１５２、１５３を形成し、樹脂基材層１５が製造される。次いで、樹脂基材層１５を、ダイサー、ルータ、ラインカッター、スリッター等の切断装置を用いて、目的に応じた所定のサイズに切断する。
【００４７】
（３）反射部１６を、樹脂基材層１５の上面側に設ける（図１参照）。反射部１６は、光を反射する材料で構成され、アルミニウム等の金属が好ましく、さらに、反射面に反射効率の高い銀、金、ニッケルなどの貴金属材料でメッキが施されていることがより好ましい。反射部１６は、接着等の公知の方法で樹脂基材層１５に設けることができる。
【００４８】
（４）発光素子１１を金属肉厚部１２１に実装する。金属肉厚部１２１への発光素子１１の搭載方法は、導電性ペースト、両面テープ、半田による接合、放熱シート（好ましくはシリコーン系放熱シート）、シリコーン系又はエポキシ系樹脂材料を用いる方法など何れのボンディング方法でもよいが、金属による接合が放熱性の点から好ましい。
【００４９】
（５）樹脂基材層１５を基板１４上に設ける。貫通孔１５ａの内部に発光素子１１が収納されるように樹脂基材層１５は基板１４に取り付けられる。第２パターン金属部１５３と金属層１２の電極部分１２ｂとは、導電性ペースト、半田による接続等が例示される。
【００５０】
（６）発光素子１１の電極部と両側の第１パターン金属部１５２とを導電接続する。この導電接続は、発光素子１１の上部電極と各々の第１パターン金属部１５２とを、反射層１５４ａ、１５４ｂを介して金属細線１７によるワイヤボンディング等で結線することで行うことができる。ワイヤボンディングとしては、超音波やこれと加熱を併用したものなどが可能である。図１の場合、反射層１５４ａ、１５４ｂを介して接続されているが、これに制限されず、反射層１５４ａ、１５４ｂはなくてもよい。
【００５１】
（７）貫通孔１５ａの内部に蛍光体を含む樹脂１８で封止し、次いで、反射部１６を壁として、その内部を透明の封止樹脂１９により封止する。封止樹脂としては、シリコーン系樹脂、エポキシ系樹脂等が好適に使用できる。封止樹脂のポッティングは、凸レンズの機能を付与する観点から上面を凸状に形成するのが好ましいが、上面を平面状や凹状に形成してもよい。ポッティングした封止樹脂の上面形状は、使用する材料の粘度、塗布方法、塗布表面との親和性などで制御することができる。
【００５２】
次いで、基板１４の製造方法の一例を以下に示す。
（基板の実施例１）
市販人造黒鉛材（密度：１．８５ｇ／ｃｍ３）から、１００ｍｍ×１００ｍｍ×７０ｍｍのブロックを７０ｍｍ厚方向に黒鉛粒子が配向する様に切り出した。得られた成形体は、電気炉で窒素雰囲気中、温度７００℃に予備加熱した後、予め加熱しておいた内径Φ３００ｍｍ×３００ｍｍｔのプレス型内に収め、シリコンを１２質量％含有するアルミニウム合金の溶湯を注ぎ、１００ＭＰａの圧力で２０分間加圧して、成形体にアルミニウム合金を含浸させた。次に、室温まで冷却した後、湿式バンドソーでアルミニウム合金及び鉄製容器部分を切断し、１００ｍｍＬ×１００ｍｍＷ×７０ｍｍＨの黒鉛−アルミニウム合金複合体を得た。得られた複合体は、含浸時の歪み除去の為、温度５００℃で２時間のアニール処理を行った。
【００５３】
次に、得られた複合体より、研削加工により、熱伝導率測定用試験体（２５ｍｍ×２５ｍｍ×１ｍｍ）、強度試験体（３ｍｍ×４ｍｍ、長さ４０ｍｍ）を作製し、温度２５℃での熱伝導率をレーザーフラッシュ法（アルバック社製；ＴＣ３０００）及び３点曲げ強度（ＪＩＳ−Ｒ１６０１に準拠）を測定した。熱伝導率及び３点曲げ強度を測定した結果、温度２５℃での熱伝導率は、７０ｍｍＨ方向が３５０Ｗ／ｍＫ、１００ｍｍＬ方向が２１５Ｗ／ｍＫ、１００ｍｍＷ方向が２１０Ｗ／ｍＫであった。また、３点曲げ強度は、１５ＭＰａであった。
【００５４】
得られた黒鉛−アルミニウム合金複合体は、１００ｍｍＷ×７０ｍｍＨの面に平行となるように、ダイヤモンドカッターで厚み１．２ｍｍｔの板状に切断し、更に、外周部分を切断加工して９５ｍｍ×６５ｍｍとした後、平面研削盤で、厚み１ｍｍｔとなる様に研削加工を行った。次に、得られた板状複合体は、無電解Ｎｉ―Ｐめっきを行い、複合体表面に６μｍ厚のめっき層を形成した。
【００５５】
（基板の実施例２）
粒子径０．１ｍｍ〜２ｍｍの人造黒鉛粉末１６００ｇとメディアン径７μｍの炭化珪素粉末（大平洋ランダム社製／ＮＣ＃２０００）６００ｇとをＶ型混合機にて混合した後、内径寸法が１００ｍｍＬ×１００ｍｍＷ×１５０ｍｍＨの鉄製容器に充填し、面圧１００ＭＰａの圧力で成形して、１００ｍｍＬ×１００ｍｍＷ×９０ｍｍＨの成形体を作製した。得られた成形体は、鉄製容器ごと電気炉で窒素雰囲気中、温度７００℃に予備加熱した後、予め加熱しておいた内径Φ３００ｍｍ×３００ｍｍｔのプレス型内に収め、シリコンを１２質量％含有するアルミニウム合金の溶湯を注ぎ、１００ＭＰａの圧力で２０分間加圧して、成形体にアルミニウム合金を含浸させた。次に、室温まで冷却した後、湿式バンドソーでアルミニウム合金及び鉄製容器部分を切断し、１００ｍｍＬ×１００ｍｍＷ×９０ｍｍＨの黒鉛−炭化珪素−アルミニウム合金複合体を得た。得られた複合体は、含浸時の歪み除去の為、温度５００℃で２時間のアニール処理を行った。
【００５６】
次に、得られた複合体より、研削加工により、熱伝導率測定用試験体（２５ｍｍ×２５ｍｍ×１ｍｍ）、強度試験体（３ｍｍ×４ｍｍ長さ４０ｍｍ）を作製し、温度２５℃での熱伝導率をレーザーフラッシュ法（アルバック社製；ＴＣ３０００）及び３点曲げ強度（ＪＩＳ−Ｒ１６０１に準拠）を測定した。その結果、温度２５℃での熱伝導率は、９０ｍｍＨ方向が２２０Ｗ／ｍＫ、１００ｍｍＬ方向が２８０Ｗ／ｍＫ、１００ｍｍＷ方向が２７５Ｗ／ｍＫであった。また、３点曲げ強度は、７０ＭＰａであった。
【００５７】
得られた黒鉛−炭化珪素−アルミニウム合金複合体は、１００ｍｍＷ×９０ｍｍＨの面に平行となるように、ダイヤモンドカッターで厚み１．２ｍｍｔの板状に切断加工し、更に、外周部分を切断加工して９５ｍｍ×８５ｍｍとした後、平面研削盤で、厚み１ｍｍｔとなるように研削加工を行った。
【００５８】
（別実施形態）
（１）金属層１２および／または絶縁層１３の積層面側に、接着剤を塗布して接着層を設けて構成でき、これにより接合力を強化できる。また、図３に示すように、樹脂部１５１と第１、第２パターン金属部１５２、１５３との両方或いはいずれか一方の積層面側に接着剤を塗布して接着層３１を設けて構成でき、これにより接合力を強化できる。
【００５９】
（２）図１の発光装置１は、単数の発光素子を実装する構成であるが、複数の発光素子を実装することもできる。
【００６０】
（３）図１の発光素子１１は、金属製の反射部１６が設けられ封止樹脂がポッティングされている構成であるが、金属製の反射部１６の代わりに、予め封止樹脂で環状に構成された環状体を樹脂基材層１５に接着することもでき、また、ディスペンサーで紫外線硬化樹脂等を立体的に環状に塗布して硬化させて環状体を形成することもできる。この環状体の内表面には反射層を形成することが好ましい。
【００６１】
（４）封止樹脂の上方に、凸面の透明樹脂レンズを備えていてもよい。透明樹脂レンズが凸面を有することで、効率良く基板から上方に光を発射させることができる場合がある。凸面を有するレンズとしては、平面視形状が円形、楕円形のものなどが挙げられる。なお、透明樹脂や透明樹脂レンズは、着色されたもの又は蛍光物質を含むものでもよい。特に、イエロー系蛍光物質を含む場合、青色発光ダイオードを用いて、白色光を発生させることができる。
【００６２】
（５）図１の発光装置１は、フェイスアップ型の発光素子を搭載する例を示したが、本発明では、一対の電極を底面に備えるフェイスダウン型の発光素子を搭載してもよい。その場合、ソルダ接合を行うこと等によって、ワイヤボンディング等を不要にできる場合がある。また、発光素子の表面と裏面とに電極を有する場合には、ワイヤボンディング等を１本にすることが可能である。
【００６３】
（６）図１の発光装置１は、配線層に相当する単層の金属層１２を設けた基板１４に対して発光素子１１を搭載する装置の例を示したが、本発明では、配線層が２層以上の多層配線基板に対して発光素子を搭載してもよい。その場合の導電接続構造の形成方法の詳細は、国際公開公報ＷＯ００／５２９７７号に記載されており、これらをいずれも適用することができる。
【図面の簡単な説明】
【００６４】
【図１】本発明の発光装置の一例を示す断面図
【図２】本発明の発光装置の一例を示す断面図
【図３】本発明の発光装置の一例を示す断面図
【符号の説明】
【００６５】
１        発光装置
１１      発光素子
１２      金属層
１２１    金属肉厚部
１３      絶縁層
１４      基板
１５      樹脂基材層
１５ａ    貫通孔
１６      反射部
１５１    樹脂
１５２    第１パターン金属部
１５３    第２パターン金属部
１５４    反射層
【図１】
0005400289.tif 000002
【図２】
0005400289.tif 000003
【図３】
0005400289.tif 000004